(57)【要約】      （修正有）【課題】注射をする人に多大な技量を必要とする事無く、針を抜くと注入された物質が押し戻されることなく、注射に長時間必要としない、皮内注射器を提供する。【解決手段】注入される物質を入れるように構成されたチャンバと、前記チャンバと作動的に関係付けられ、皮内注入部位に物質を送出できるだけの長さを有している針を備えている注射装置。カラーが針４８を取囲み、カラー空洞を画定している。カラーは、針と注入部位を囲み、且つ針と注入部位から半径方向に、患者の皮膚７８がカラー空洞内に入り込んで物質を注入部位に皮内送出するために針を正しく位置決めできるようにし、そして皮膚内の背圧が前記物質を注入部位を通して押し出すのを阻止又は防止しながら、注入された物質が皮下で広がるようにする面積だけ、離れて配置されている周辺前方皮膚接触面も有している構成とする。【選択図】図７
2007222661.tif 000002
【特許請求の範囲】
【請求項１】
皮内注射装置において、
注入される物質を入れるように構成されたチャンバと、
前記チャンバと作動的に関係付けられ、皮内注入部位に物質を送出できるだけの長さを有している針と、
前記針を取り囲みカラー空洞を画定しているカラーであって、前記針と注入部位を取り囲み、且つ前記針と注入部位から半径方向に或る間隔だけ離れて配置されている周辺前方皮膚接触面を有するカラーと、を備え、
前記間隔は、患者の皮膚が前記カラー空洞内に入り込んで物質を注入部位に皮内送出するために前記針を適切に位置決めし、且つ皮膚内の背圧が前記物質を前記注入部位を通して押し出すのを阻止又は防止しながら、注入された物質が皮下で広がるようにするのに十分な大きさである皮内注射装置。
【請求項２】
前記物質を前記注入部位へ送出するのを支援するために前記針に関係付けられたエネルギー源を更に備えている、請求項１に記載の注射装置。
【請求項３】
前記エネルギー源は、前記物質に対して約５０から３００ｐｓｉの注入支援圧力を提供するように構成されている、請求項２に記載の注射装置。
【請求項４】
前記カラーは、円形周辺面と、約４ｍｍから７ｍｍの内径を有している、上記請求項の何れかに記載の注射装置。
【請求項５】
前記カラーの皮膚接触面は不連続である、上記請求項の何れかに記載の注射装置。
【請求項６】
前記皮膚接触面は不連続なギャップを画定し、前記皮膚接触面と前記ギャップは一緒になって前記針の周りに閉形状を画定しており、前記皮膚接触面は前記閉形状の少なくとも約５０％を占めている、請求項５に記載の注射装置。
【請求項７】
前記閉形状は丸くなっている、請求項６に記載の注射装置。
【請求項８】
前記不連続なギャップは、前記形状に沿って実質的に等間隔に配置されている、請求項５から７の何れかに記載の注射装置。
【請求項９】
前記皮膚接触面は、前記不連続なギャップにより分離された少なくとも２つの実質的に大きさの等しい連続部分を有している、請求項５から８の何れかに記載の注射装置。
【請求項１０】
前記針は或る位置を有する送出端を有しており、それは前方皮膚接触面の約０．５ｍｍ以内に配置されている、上記請求項の何れかに記載の注射装置。
【請求項１１】
前記針及びカラーは、前記物質を皮内注入するように構成されている、上記請求項の何れかに記載の注射装置。
【請求項１２】
鋭利な送出端を有する針であって、前記チャンバと作動的に関係付けられ、物質を皮内注入部位に送出するための大きさに構成され、後退位置と、患者を透通して前記物質を注入するための位置である伸展位置とを有している針と、
前記後退位置では前記送出端を覆い、前記針の伸展位置では弾性的に変形し前記針を前記伸展位置から前記後退位置に向けて付勢するように配置構成されている弾性針キャップと、
圧縮ガスが中に入っているガスチャンバと、
前記物質を注入するために送出導管に前記物質を押し込むための、前記物質に対して前記圧縮ガスで付勢されるプランジャと、を更に備えており、
前記プランジャと前記ガスチャンバは、前記プランジャが所定の位置に移動して所定量の物質を注入すると、前記圧縮ガスが前記ガスチャンバから放出され前記キャップが前記針を後退させるように、関係付けられている、上記請求項の何れかに記載の注射装置。
【請求項１３】
前記針は、前記物質を患者の体内に注入するための送出位置を有しており、前記針送出端は、前期皮膚接触面に又はその後ろに配置されている、上記請求項の何れかに記載の注射装置。
【発明の詳細な説明】
【技術分野】
【０００１】
本発明は、注入器に関する。より厳密には、本発明は、注射時に皮膚の泡膨れや膨れを最小限にする皮内注射器に関する。
【背景技術】
【０００２】
ある種の物質及びワクチンは、皮内に送出する方が、筋肉内に送出する場合よりも効果的であることが分かっている。従来から物質を皮内注射するものとして皮下噴射器がよく知られているが、皮下噴射器では皮内注射を正しく行なうことができない。
【０００３】
皮下噴射器は、注入物質の流れを利用して皮膚の透通抵抗に打ち勝つ。この高速の物質の流れは、注入すべき物質でもある。従来の皮下噴射器では、抵抗力の大部分を与える皮膚の最上層を透通させるのに高いエネルギーを必要とする。このような透通に十分な出力を提供し、次いで表皮層の真下に当該物質を沈着させること、即ち皮内注射に求められることは、やりがいのある課題である。注入力が物質を皮内に投与するには弱すぎれば、噴射で表皮を完全には透通できないため、物質全部は送出できないことになる。注入力が物質全部を送出できるほど十分であれば、強すぎて、注入物質の殆どが皮膚の表皮層よりも遙か深いところに送出されることになる。
【０００４】
物質を内皮に送出することを目的とした従来の注射針による注入法は、大きな欠陥に悩まされている。この方法は、注入処置の一環として注射針を慎重に配置することが求められるので、注射をする人に多大な技量が求められる。注射器のプランジャを押し込んで従来型の装置から急速に物質を注入すると、注入部位に背圧が発生し、針を抜くと注入された物質が押し戻されて注射孔から出てしまう結果となる。物質が注入部位から戻って出るのを防ぐため注入物質をゆっくりと送出することが必要なせいで、長時間注射のような状態に置かれるのは、患者にとって快適ではない。この様に、皮内注射器の改良が必要とされている。
【特許文献１】米国特許出願第０９／７７９，６０３号
【発明の開示】
【課題を解決するための手段】
【０００５】
本発明は、注射器に、それも好適に皮内注射装置に関している。この注射器の或る好適な実施形態は、注入される物質を入れるように作られたチャンバを有している。このチャンバには針が作動的に関係付けられており、物質を皮内注入部位に送出できるだけの長さを有している。カラーが針を取囲み、カラー空洞を画定している。カラーは、針及び注入部位を取り囲み、且つ針及び注入部位から半径方向に、患者の皮膚がカラー空洞内に入り込んで物質を注入部位に皮内送出するために針を正しく位置決めできるようにし、そして注入された物質が注入部位に広がって注射後に針によって皮膚にできた孔から注入された物質が流れ出るような事態を引き起こす背圧を阻止又は防止できるようにする面積だけ、離れて配置されている周辺前方皮膚接触面を有している。エネルギー源は、物質を注入部位に送出する際に役立つように針に関係付けられているのが望ましい。好適なエネルギー源は、約５０から３００ｐｓｉの注入支援圧力を物質に供給するように構成されている。
【０００６】
この実施形態では、カラーは円形の周辺面を有し、内径が約４ｍｍから７ｍｍで、カラーの皮膚接触面は不連続となっている。皮膚接触面は、不連続ギャップを画定し、皮膚接触面とギャップは一緒になって閉形状を画定している。皮膚接触面は、閉形状の少なくとも約５０％を占めているのが望ましい。更に、閉形状は丸くなっているのが望ましいが、適していれば他の形状であってもよい。好適な形状は円形で、不連続ギャップは、その形状に沿って実質的に等間隔に離して配置されているのが望ましく、少なくとも２つの実質的に大きさが等しい連続部分がこの不連続ギャップによって分離されているのがより望ましい。好適な針は、その遠位送出端が、皮膚接触面の前方端の約０．５ｍｍ範囲内に設けられている。
【０００７】
本発明は、物質の皮内投与の方法にも関する。好適な方法では、針と注入部位を取り囲んでいる面積分だけ針から離間した表面に皮膚を接触させている間に、物質は針を通して皮内注入部位に送出される。この面積は、患者の皮膚の注入部位に、相当量の注入された物質を針孔から押し出すような背圧を発生させること無く、物質を皮内注入できるようにするのに十分な大きさである。物質の送出は、物質に圧力をかけることにより支援するのが望ましく、この圧力は約５０から３００ｐｓｉの間であるのが望ましい。針は後退位置から伸展位置に動かされ、伸展位置では、針は、患者の体内に物質を注入するため加圧ガス源を駆動的に関係付けることにより露出され、物質が注入されるとガスは抜かれ、ガスが抜かれると、針は、弾性的に変形された弾性部材で針を後退させるように付勢される。
【０００８】
或る注射器の実施形態の針は、後退位置を有しており、この後退位置は注射器本体内に在ってもよく、また伸展位置も有しており、この伸展位置では、針は、患者を透通して物質を注入するように配置されている。弾性針キャップが鋭利な針先端部を覆っており、このカバーは、針が伸展位置にある状態では弾性的に変形して、針を伸展位置から後退位置に向けて付勢するように配置、構成されている。
【０００９】
針は、後退位置から伸展位置に移動するときにはキャップを穿通するように配置されている。更に、或る実施形態は、圧縮ガスが入っているガスチャンバと、物質を注入するために針のような送出導管を通して物質を押し出すため、送出対象の物質に対して圧縮ガスで付勢されるプランジャと、を有している。プランジャとガスチャンバは、一旦プランジャが所定位置へ動かされ所定量の物質を注入すると、圧縮ガスがガスチャンバから放出され、キャップ又は使用されている他の弾性部材が針を後退させるように関係付けられている。
【発明を実施するための最良の形態】
【００１０】
図１に示すように、外側ハウジング１０は、近位端と遠位端１４、１６を有する望ましくは細長い円筒形の本体１２を備えている。本出願の実施形態に関して使用する場合は、「遠位」という用語は注射器の前方に向う端又は方向を指し、「近位」という用語は注射器の後方に向かう端又は方向を指す。針穴１８は、ハウジング１０の前方即ち遠位端に配置され、ハウジングの内部から伸展する注射針を受け入れるように構成され、その大きさが決められている。
【００１１】
トリガアッセンブリ２４は、近位端１４に配置されるのが望ましいが、他の実施形態では、遠位端を含め注射器の他の部分に配置されている。トリガアッセンブリ２４は、ボタン２６を含んでおり、このボタンを、望ましくは軸方向にハウジング１０内に押し込むと注射器を発射できるようになっている。トリガアッセンブリ２４は、注射器を発射するのを選択的に防止するための安全ロックを含んでいる。図示の実施形態では、安全ロック２８は、ボタン２６の一部として構成され、注射器の発射を防止又は許容するロック位置とロック解除位置の間で軸方向に回転させることができるようになっている。
【００１２】
ボタン２６には、装填位置に発射部材を保持する発射ラッチが設けられている。発射部材は、発射シリンダ３０を備えているのが望ましく、図１では装填位置にある状態を示している。好適な発射部材３０は、実質的に円筒形で、内部内腔３２とその外側の両方に大径部と小径部を有しているが、他の実施形態では単一の内径と外径を有し、或いは別の形状を有する。
【００１３】
発射シリンダ内腔３２にはピストン３４が入っており、ピストン３４は、外側ハウジング１０に固定されているのが望ましい。ピストン３４は、内腔３２とピストン３４の間に画定されたガスチャンバ３６内に、注射器を発射させることができるだけの圧縮ガスの量と圧力を保持するために、望ましくは漏れの無いような関係で、シリンダ内腔３２に挿入されている。圧縮ガスは、圧縮状態で提供してもよいし、注射器の発射の際に起動する様な、内部に入っているガス発生器の反応による生成物であってもよい。ガスチャンバ３６内のガスをシールするために、Ｏリングのようなシール３８を、ピストン上の溝４０に配置するのが望ましい。好適なガスは二酸化炭素であるが、適していれば他のガスを使用してもよい。別の実施形態では、注射器を発射するのに、コイルばねの様な別のエネルギー源を採用している。
【００１４】
プランジャ４２は、発射シリンダ３０の前方に配置され、注射器が発射されると、発射シリンダ３０がプランジャ４２を遠位方向に押し出すように、発射シリンダ３０と作動的に関係付けられている。プランジャ４２は、薬剤カートリッジ４４の中に入っており、このカートリッジには薬剤が入っているのが望ましいが、他の適切な流体が入っていてもよい。図１に示すように、プランジャ４２は、薬剤カートリッジ４４の大径部４６内に配置されている。
【００１５】
中空の注射針４８は、薬剤カートリッジ４４の内部に開口しており、薬剤カートリッジ４４に固定され、近位の鋭利な端部５０がカートリッジの内部に突き出し、遠位の鋭利な端部５２は、針開口部１８と整列して薬剤カートリッジ４４から突き出ているのが望ましい。この好適な実施形態では、針４８の近位の鋭利な端部５０は、大径部４６と小径部５６を分離し、接触するとプランジャ４２の遠位方向への動作を止めるように構成されている肩部５４の遠位方向に配置されている。
【００１６】
ストッパ６０は、薬剤カートリッジ４４内に、望ましくは狭くなった部分５６内に配置されている。ストッパ６０は薬剤チャンバ５８をシールし、薬剤チャンバ５８は、図示の装填位置では、薬剤カートリッジ４４の大径部５８内のプランジャ４２とストッパ６０の間に画定されている。また、装填位置では、ストッパ６０は、薬剤チャンバ５８と針４８を分離している。
【００１７】
針キャップ６２は、針４８の周りに、望ましくは針４８と針開口部１８の間に、遠位の鋭利な端部５２の前方を取り囲むように配置されている。図示の実施形態では、針キャップ６２は、薬剤カートリッジ４４の針ホルダ延長部６４に嵌め込まれている。針キャップ６２は、近位端１４に向って近位方向にカートリッジ４４と針４８を付勢し後退させるだけの弾性があるのが望ましい。或る別の実施形態は、外側ハウジングの外側に取り付けられた針キャップを有している。この別の実施形態は、カートリッジと針を近位方向に付勢する弾性要素を有しているのが望ましい。
【００１８】
図１から図４に示すように、カラー２０は、外側ハウジング１０の外側で針開口部１８を取囲んでいるのが望ましい。カラー空洞２２は、カラー２０内に画定され、カラー２０及び針開口部１８と実質的に同軸であるのが望ましい。カラー２０は、針４８と針開口部１８を取囲み両者から半径方向に間隔を空けて設けられた周辺皮膚接触面６６を有している。この間隔、並びにカラー空洞の軸方向の深さは、患者の皮膚がカラー空洞２２内に入り込んで、望ましくは患者の皮膚の中又はその下に膨れや泡膨れを発生させること無く、物質を注入部位に皮内送出するために針を正しく位置決めすることができ、且つ皮膚内の背圧により物質が注入部位から押し出されるのを阻止又は防ぎつつ皮下で注入された物質が広がることができるようにする面積分だけ、皮膚接触面６６を注入部位から間隔を空けて配置できるように選択されている。
【００１９】
注射器カラー２０の形状は、注入される物質または薬剤の皮内配置に影響を及ぼす。カラー２０とカラー空洞２２の直径が小さすぎると、物質は膨れ又は泡膨れ状に注入されることになり、皮膚の外側の層を風船のように引き伸ばしてしまう。注射器を外すと、物質は針穴を通って直ちに泡膨れから出て行くので、注入した物質の一部又は全部が失われることになる。好適な皮膚接触面６６は、この膨れ又は泡膨れ作用を低減又は無くすように構成されている。
【００２０】
好適なカラー２０と皮膚接触面６６は、閉形状で丸みを帯び、円形又は概ね楕円形の周辺部が患者の皮膚と接触するような形状である。図１−４の実施形態では、この周辺部は円形である。人の腕又は脚に実施する殆どのワクチン注射の場合、少なくとも約４ｍｍの直径が望ましい。約２ｍｍから１０ｍｍの直径が好適であり、注入される物質にもよるが、一般的には約４ｍｍから７ｍｍの直径が最も有用である。
【００２１】
この好適な実施形態では、カラー２０と皮膚接触面６６は、不連続で、皮膚接触面６６を分割する不連続ギャップ６８を画定している。皮膚接触面６６は、針開口部１８を取り囲むように配置され、角度的には、皮膚接触面１６とギャップ６８との組み合わせで画定される、針開口部１８を取り囲むの仮想線による閉連続形状の、望ましくは少なくとも約５０％、より望ましくは少なくとも約６５％、最適には約９０％を占めるように配置されているのがよい。好適なカラー２０は、不快感を生じさせること無く患者の皮膚に注射器を正しく位置決めできるだけの皮膚接触面６６の表面積を残しつつ、且つ正確な位置に注入できるように皮膚を引き伸ばせるだけの接触を作り出しながら、カラー２０の２つ、３つ、又はそれ以上のギャップ６８、即ち切り取り部を画定している。カラー２０又は皮膚接触面６６が円形の場合、カラー２０の周辺回りに等間隔に間隔を空けた位置に、実質的に等量の除去領域即ちギャップ６８を設けるのが好ましい。別の実施形態は、ギャップのない実質的に連続したカラーを有している。好適なカラー２０は、丸みの付いた断面を有する外壁６７と、実質的に平坦で軸方向の内壁６９とを有し、それは軸から約２０°未満の角度に配置されているのが望ましい。他の実施形態では、使用目的次第で、全壁を丸くしてもよいし、全壁を平らにしてもよいし、或いは内壁に丸みを付け外壁を平坦にしてもよい。
【００２２】
別の実施形態では、皮膚接触面が不連続な小直径の円又は楕円形のカラーを採用している。これは、間隔を空けて表面部分を設けるか、又は表面の一部を除去することで作り出せる。これにより皮膚に作用するカラーの力が小さくなり、皮膚の層と層の間の正しい位置に注入できるようになる。１つの望ましい例として、外径が約７ｍｍで内部開口部が約４ｍｍの大きさが等しい２つの半殻を有する等分割円形カラーがある。別の実施形態は、長軸又は短軸に沿って、或いはその両方に沿って分割された楕円形カラーを有している。図５及び図６の実施形態は、カラーの外側は実質的に円形であるが、短軸に沿って分割された楕円形カラー空洞７２を画定しているカラー７０を有している。従って、カラー７０の肉厚はその外周に沿って変化する。
【００２３】
皮膚接触面は、その名が示唆するように皮膚に接触するように構成されている。ギャップは、皮膚上の特定の箇所の圧力を逃がし、望ましくは注入のために注射器が皮膚に押し付けられた際には皮膚と接触し続けるようになっている。図示の実施形態では、皮膚接触面６６は実質的に平坦であるが、他の適した形状を使用することもできる。
【００２４】
図１と図７に示すように、注射器を使用する場合、カラー２０は、ユーザーの皮膚７８に押し付けられ、皮膚がカラー空洞２２に入り込む。ボタン２６を押すと、ラッチが外れて発射シリンダ３０が放たれる。ガスチャンバ３６内の圧縮ガスが、ピストン３４と発射シリンダ３０を押すように作用して、発射シリンダ３０を、図７に示すように遠位方向に付勢し移動させる。すると発射シリンダ３０はプランジャ４２を遠位方向に押し、これにより薬剤チャンバ５８内の流体と薬剤カートリッジ４４が付勢され、針キャップ６２が外側ハウジング１０の遠位壁７４に押し付けられることになる。針４８は、こうして図示の後退位置から伸展位置へと、針開口部１８を通ってカラー空洞７２へ、そしてユーザーの皮膚７８内へ所定の距離、移動する。ピストン４２は、遠位方向に進むにつれ、薬剤チャンバ５８内の流体を移動させ、ストッパ６０も遠位方向に動かす。すると、針４８の近位端５０がストッパ６０を貫き、針４８の内部と薬剤チャンバ５８が流体連通状態になる。プランジャ６０が継続して遠位方向に移動することにより、流体は針４８を通ってユーザーの皮膚内に注入される。
【００２５】
発射シリンダ３０とピストン３４は、ガスチャンバ３６から圧縮ガスを放出できるように構成されているのが望ましい。図示の実施形態では、発射シリンダ３０とピストンの長さは、発射シリンダ３０の近位側の面取り部分７６がピストン３４の遠位側のシールを通り越してシールを解除し圧縮ガスを逃がすよう配置されるように選択される。ガスが逃げてガスチャンバ３６内の圧力が低下すると、弾性針キャップ６２又は代わりに採用されたばねは、薬剤カートリッジ４４と針４８を近位方向に後退させハウジング１０内に引き戻す。この装置は、ガス圧力を注射器内のエネルギー源から発射及び逃がす場合にも使用できる。
【００２６】
伸展位置では、針４８は、使用目的次第で、皮膚接触面６６の前方端の近位側又は遠位側に、又は実質的にそれと面一に配置することができる。或る好適な実施形態では、針４８は、皮膚接触面６６の前方端から後方に即ち近位方向に、最長で約１ｍｍの位置に、より好適には最長で約０．５ｍｍの位置に、そして最短ではこれと略面一に、より好適にはそこから近位方向に少なくとも約０．２ｍｍの位置に配置される。別の好適な実施形態では、針４８は、皮膚接触面６６の前方端の前方に即ち遠位方向に、最長で約１ｍｍの位置に、より好適には最長で約０．５ｍｍの位置に、そして最短ではこれと略面一に、より好適にはそこから遠位方向に少なくとも約０．２ｍｍ又は０．３ｍｍの位置に配置される。或る面一の実施形態では、針４８は、伸展位置で、皮膚接触面６６の前方端のどちらかの側に、約０．２ｍｍの間に、より望ましくは０．１ｍｍ以内に、最適には約０．０５ｍｍ以内又はそれ以上近くに配置される。或る実施形態では、皮膚接触面６６に対する針４８の遠位端の位置と、カラー２０及び皮膚接触面６６の形状と大きさは、患者の注入部位における注入深度が約０．２インチになるように選択される。
【００２７】
送出される流体物質は、溶液であるのが望ましく、液体状のワクチンであるのが更に望ましい。上記の様に、ワクチンの皮内送出は、筋肉注射で送出するよりも更に効果的であることが分かっている。比較的少量、通常は約５０マイクロリットル程度を投与するが、装置は約２５から１００マイクロリットルの間で投与できるように設計されている。
【００２８】
本発明の好適な実施形態では、ジェットスプレイは不要であるが、別の実施形態では使用することもできる。物質の好適な皮内注入は低い圧力で支援される。この圧力は、注射装置から針が突き出る長さによって変わるが、一般的には約５０から３００ｐｓｉの圧力範囲であれば、物質を所望の位置及び箇所に投与するのに十分である。流体を真皮より深く注入させない実施形態では、従来の針なし注射装置で得られるような、皮膚の層と層の間ではなくて真皮より下方に物質を注入するような高圧は回避すべきであり、さもないと、物質はあまりに深いところに入ってしまい、皮内注入の目的を無にしてしまう。圧力支援注入は、圧力範囲６５から２５０ｐｓｉで行うのが望ましく、７５から１５０ｐｓｉであれば更に望ましい。
【００２９】
この圧力は、コイルばね、ガス推進剤、又は上記ガススプリングの様なエネルギー源を有している装置で容易に実現できる。カラーには、注射器に、所望量の物質の送出に対応する所定の距離だけプランジャを押す際のユーザーの親指の力により与えられる圧力も加わる。カラーは、針が、所望の箇所に物質が正しく送出されるように適切に位置決めされることを保証する。
【００３０】
或る実施形態では、注射装置は、注射器の遠位端に皮膚接触面を備えたハウジングと、注射器の遠位端の後退可能な注入支援針と、針の少なくとも一部を滑動可能に受け入れる開口部を有する流体チャンバと、流体チャンバ内を動けるプランジャと、トリガアッセンブリと、トリガアッセンブリを動かすとエネルギー源が起動してプランジャを第１の方向に動かし流体を流体チャンバから追い出すように、トリガアッセンブリと作動的に関係付けられているエネルギー源と、を含んでいる。後退可能な注入支援助針は、針の遠位端に位置する針の先端部と、流体が追い出されるオリフィスで終端している針先端部内の排出流路と、を有している。針は、エネルギー源が起動する前は、ハウジング内の後退位置にある。エネルギー源が起動するとプランジャは第１方向に移動し、その結果、針の少なくとも一部が、皮膚接触カラー内へと針挿入点まで前方に移動して、流体を、針の先端部を経由し針挿入点を通過させ針注入部位まで追い出す。針挿入点は針先端部にあり、針注入部位は針先端部に対して遠位方向にある。後退要素は、エネルギー源の作動後に針先端部をハウジング内部の後退位置に戻す。
【００３１】
２００１年２月９日出願の米国特許出願第０９／７７９，６０３号には、皮膚接触面を設けたカラーを含むように変更できる他の適した注射装置が記載されており、その内容を本願に参考文献として援用する。
【００３２】
ここでは、本発明の例示的実施形態を開示しているが、理解頂けるように、当業者であれば多くの変更並びに他の実施形態を考案できるであろう。例えば、カラーの不連続ギャップは、カラーから剪断切除するものに限らない。カラーは、突出部分と隣接する窪み部分を有しており、それらがギャップであり、周囲を取り囲む突起を備えた連続面とカラーが追従する形状を有している。従って、特許請求の範囲に述べる内容は、本発明の精神と範囲に含まれるそのような変更と実施形態の全てを包含することを意図しているものと理解頂きたい。
【図面の簡単な説明】
【００３３】
【図１】本発明により構築された注射器の好適な実施形態の断面図である。
【図２】図１の注射器の斜視図である。
【図３】上記注射器の遠位端の遠位端面図である。
【図４】上記注射器の遠位端の斜視図である。
【図５】注射器の遠位端の代わりの実施形態の遠位端面図である。
【図６】注射器の遠位端の代わりの実施形態の斜視図である。
【図７】図１の注射器の注入時の断面図である。
【図１】
2007222661.tif 000003
【図２】
2007222661.tif 000004
【図３】
2007222661.tif 000005
【図４】
2007222661.tif 000006
【図５】
2007222661.tif 000007
【図６】
2007222661.tif 000008
【図７】
2007222661.tif 000009
【手続補正書】
【提出日】平成19年4月26日(2007.4.26)
【手続補正１】
【補正対象書類名】特許請求の範囲
【補正対象項目名】全文
【補正方法】変更
【補正の内容】
【特許請求の範囲】
【請求項１】
皮内注射装置において、
注入される物質を入れるように構成されたチャンバと、
前記チャンバと作動的に関係付けられ、皮内注入部位に物質を送出できるだけの長さを有している針と、
前記針を取り囲みカラー空洞を画定しているカラーであって、前記針と注入部位を取り囲み、且つ前記針と注入部位から半径方向に或る間隔だけ離れて配置されている周辺前方皮膚接触面を有するカラーと、を備え、
前記間隔は、患者の皮膚が前記カラー空洞内に入り込んで物質を注入部位に皮内送出するために前記針を適切に位置決めし、且つ皮膚内の背圧が前記物質を前記注入部位を通して押し出すのを阻止又は防止しながら、注入された物質が皮下で広がるようにするのに十分な大きさである皮内注射装置。
【請求項２】
前記物質を前記注入部位へ送出するのを支援するために前記針に関係付けられたエネルギー源を更に備えている、請求項１に記載の注射装置。
【請求項３】
前記エネルギー源は、前記物質に対して約５０から３００ｐｓｉの注入支援圧力を提供するように構成されている、請求項２に記載の注射装置。
【請求項４】
前記カラーは、円形周辺面と、約４ｍｍから７ｍｍの内径を有している、上記請求項の何れかに記載の注射装置。
【請求項５】
前記皮膚接触面は不連続なギャップを画定し、前記皮膚接触面と前記ギャップは一緒になって前記針の周りに閉形状を画定しており、前記皮膚接触面は前記閉形状の少なくとも約５０％を占めている、上記請求項の何れかに記載の注射装置。
【請求項６】
前記閉形状は丸くなっている、請求項５に記載の注射装置。
【請求項７】
前記不連続なギャップは、前記形状に沿って実質的に等間隔に配置されている、請求項５から６の何れかに記載の注射装置。
【請求項８】
前記皮膚接触面は、前記不連続なギャップにより分離された少なくとも２つの実質的に大きさの等しい連続部分を有している、請求項５から７の何れかに記載の注射装置。
【請求項９】
前記針は或る位置を有する送出端を有しており、それは前方皮膚接触面の約０．５ｍｍ以内に配置されている、上記請求項の何れかに記載の注射装置。
【請求項１０】
前記針及びカラーは、前記物質を皮内注入するように構成されている、上記請求項の何れかに記載の注射装置。
【請求項１１】
鋭利な送出端を有する針であって、前記チャンバと作動的に関係付けられ、物質を皮内注入部位に送出するための大きさに構成され、後退位置と、患者を透通して前記物質を注入するための位置である伸展位置とを有している針と、
前記後退位置では前記送出端を覆い、前記針の伸展位置では弾性的に変形し前記針を前記伸展位置から前記後退位置に向けて付勢するように配置構成されている弾性針キャップと、
圧縮ガスが中に入っているガスチャンバと、
前記物質を注入するために送出導管に前記物質を押し込むための、前記物質に対して前記圧縮ガスで付勢されるプランジャと、を更に備えており、
前記プランジャと前記ガスチャンバは、前記プランジャが所定の位置に移動して所定量の物質を注入すると、前記圧縮ガスが前記ガスチャンバから放出され前記キャップが前記針を後退させるように、関係付けられている、上記請求項の何れかに記載の注射装置。
【請求項１２】
前記針は、前記物質を患者の体内に注入するための送出位置を有しており、前記針送出端は、前期皮膚接触面に又はその後ろに配置されている、上記請求項の何れかに記載の注射装置。